(57)【特許請求の範囲】
【請求項１】
一面に開口を有して内部に電気機器を収納した箱体と、前記電気機器の操作部を突出させる穴を有し前記箱体の前記開口の口縁に回動自在でかつ回転中心軸方向に移動可能に枢支されて前記箱体の前記開口を塞ぐ中蓋と、前記箱体に設けられて前記中蓋を開いた状態で前記中蓋を前記回転中心軸方向の一方に移動したときに前記中蓋が閉じる方向に回動するのを規制し前記中蓋を開いた状態で前記中蓋を前記回転中心軸方向の他方に移動したとき前記中蓋回動規制部材が閉じる方向に回動するのを許容する中蓋回動規制部材と、前記中蓋の外側で前記箱体に開閉自在に取着された外蓋とを備えた分電盤。
【請求項２】
前記中蓋回動規制部材は、前記中蓋を枢支する枢支点部を一体に設けた請求項１記載の分電盤。
【請求項３】
前記中蓋回動規制部材は、壁面取付状態における前記箱体の前記開口の両側部に取着されている請求項２記載の分電盤。
【請求項４】
前記中蓋回動規制部材は、前記中蓋の閉じ状態を保持する前記中蓋のラッチ用引掛部を引っ掛けるラッチ用引掛孔を有する請求項２または請求項３記載の分電盤。
【発明の詳細な説明】
【０００１】
【発明の属する技術分野】
この発明は、電気機器を塞ぐ中蓋を箱体の開口の口縁に枢支させた分電盤に関するものである。
【０００２】
【従来の技術】
主幹開閉器や分岐開閉器などの電気機器を収納した箱体の開口を、電気機器の操作部を突出させる穴を設けた中蓋で開閉自在に塞ぎ、さらに中蓋を外蓋で開閉自在に閉じた分電盤がある（例えば実開平５−２５１２号）。
【０００３】
【発明が解決しようとする課題】
しかし、この分電盤は、中蓋をいっぱいに開いた状態でそれ以上開くのを防止する構造にはなっているが、中蓋が閉じるのを防止する構造にはなっていない。このため、分電盤を床に寝かせて中蓋を開いた状態に保持し、この状態で内部の電気機器の出荷前の点検や配線作業をするときに、中蓋に振動や衝撃が加わると中蓋が閉まる方向に回動し、中蓋と箱体との間に手を挾むおそれがあり、危険性があった。
【０００４】
この場合、中蓋を着脱自在にして作業中は中蓋を外すことが考えられるが、作業が面倒になる。
したがって、この発明の目的は、中蓋を開いた状態で中蓋が閉じるのを防止することができ、箱体と中蓋との間に手が挟まれるのを防止し、作業性と安全性を図った分電盤を提供することである。
【０００５】
【課題を解決するための手段】
請求項１記載の分電盤は、一面に開口を有して内部に電気機器を収納した箱体と、前記電気機器の操作部を突出させる穴を有し前記箱体の前記開口の口縁に回動自在でかつ回転中心軸方向に移動可能に枢支されて前記箱体の前記開口を塞ぐ中蓋と、前記箱体に設けられて前記中蓋を開いた状態で前記中蓋を前記回転中心軸方向の一方に移動したときに前記中蓋が閉じる方向に回動するのを規制し前記中蓋を開いた状態で前記中蓋を前記回転中心軸方向の他方に移動したとき前記中蓋回動規制部材が閉じる方向に回動するのを許容する中蓋回動規制部材と、前記中蓋の外側で前記箱体に開閉自在に取着された外蓋とを備えた  ものである。
【０００６】
請求項１記載の分電盤によれば、箱体の中蓋を開いて回転中心軸方向の一方に移動させたとき、中蓋が中蓋回動規制部材に当接して閉まるのが防止される。このため、分電盤の出荷前など箱体を床において配線や点検の作業をする際に中蓋が不用意に閉じるのを防止でき、安全性と作業性を向上することができる。
請求項２記載の分電盤は、請求項１において、前記中蓋回動規制部材が、前記中蓋を枢支する枢支点部を一体に設けたものである。
【０００７】
請求項２記載の分電盤によれば、請求項１と同様な効果のほか、中蓋回動規制部材および枢支点部の箱体への取付作業が容易になる。
請求項３記載の分電盤は、請求項２において、前記中蓋回動規制部材は、壁面取付状態における前記箱体の前記開口の両側部に取着されているものである。
請求項３記載の分電盤によれば、請求項２と同様な効果のほか、左開き、右開きおよび観音開きのいずれかを選択することができる。
【０００８】
請求項４記載の分電盤は、請求項２または請求項３において、前記中蓋回動規制部材が、前記中蓋の閉じ状態を保持する前記中蓋のラッチ用引掛部を引っ掛けるラッチ用引掛孔を有するものである。
請求項４記載の分電盤によれば、請求項２または請求項３記載と同様な効果のほか、中蓋を閉じたときのラッチを兼ねることができ、別途引掛部を設ける必要がない。
【０００９】
【発明の実施の形態】
この発明の一実施の形態を図１から図９により説明する。すなわち、この分電盤は、箱体１と、中蓋２と、中蓋回動規制部材３と、外蓋４とを有する。
箱体１は、一面に開口５を有して、内部に電気機器６（図８参照）を収納している。実施の形態の箱体１は、図８に示すように壁面に取付けるベース７と、このベース７の周側壁を形成する枠体９からなり、枠取付部材１０により枠体９をベース７に取付けている。枠体９は図７に示すように、縦枠片１１と横枠片１２とを端部で連結して形成している。１３は縦枠片１１の両端を塞ぐキャップである。電気機器６は図８に示すように、主幹開閉器１５および主幹開閉器１５にバー１４を介して接続された多数の分岐開閉器１６等を有する。８は枠体９のガイドである。
【００１０】
中蓋２は、電気機器６の操作部１５ａ、１６ａを突出させる穴１９（図９参照）を有し、箱体１の開口５の口縁に回動自在でかつ回転中心軸方向に移動可能に枢支されて、箱体１の開口５を塞ぐものである。実施の形態において、箱体１側の枢支点部は開口５の一側の一端側（壁面取付時の下側）が軸２１で構成され、他端側（壁面取付時の上側）が軸受け孔２２により形成されている。また中蓋２側は一端側が軸２１に嵌合する軸孔２３により形成し、他端側は軸受け孔２２に嵌脱可能に軸棒２４を設けている。２５は軸棒２４をスライド可能に支持する支持体、２６は軸棒２４に設けた操作つまみである。図４は中蓋２の取付過程を示し、図４のように中蓋２の取付側を斜め姿勢にして軸孔２３を軸２１に嵌合し、軸棒２４は操作つまみ２６により軸棒２４を後退した状態で軸棒２４の先端を軸受け孔２２に整合し、この状態で操作つまみ２６を操作して軸棒２４を突出し、軸受け孔２２に嵌合する。この状態が図１に示す状態であり、中蓋２は軸２３および軸棒２４の回りを回動して図５に示すように閉じることができる。３１は中蓋２を閉じた状態に保持するための引掛部で、３２は中蓋２のハンドル（図９参照）である。
【００１１】
中蓋回動規制部材３は、箱体１に設けられて中蓋２を回転中心軸方向の一方に移動したときに、中蓋２が閉じる方向に回動するのを規制する。実施の形態の中蓋回動規制部材３は、枠体９の横枠片１２に取付けられている。この場合、図では中蓋２が右開きであるが左開きも可能になるように、中蓋回動規制部材３を上下の各横枠片１２の両端部に取付けている。また、中蓋２を枢支する箱体１側の枢支点部を中蓋回動規制部材３の基部に一体に設け、さらに中蓋２の閉じ状態を保持する中蓋２のラッチ用引掛部３１を引っ掛けるラッチ用引掛孔２８を中蓋回動規制部材３に形成している。したがって、中蓋２を閉じた状態で引掛部３１を操作すると、図のように右開きの場合は左開き用の中蓋回動規制部材３に形成した引掛孔２８に図５に示すように引掛部３１の爪３１ａが引っ掛かり閉じ状態が保持される。
【００１２】
さらに分電盤の壁面取付状態で下位側となる横枠片１２に取付けた中蓋回動規制部材３の基部に、例えば図７に示すように引掛具５０を設けている。この引掛具５０はベース７の枠取付部材１０の上端部の引掛孔１０ａに引掛けて枠体９をベース７に取付ける。なお枠体９の上位側となる横枠片１２には図７および図８に示すように係止受け部材５１が設けられ、係止受け部材５１がベース７に設けた枠取付部材１０の係止爪部１０ｂに枠体９の自重により係止させて取付けている。
【００１３】
中蓋２を図１に示すように取付けて中蓋２を開いた状態で、中蓋２を中心軸方向の一方として図２の矢印で示す方向（箱体１の壁面取付状態で上方向）に移動すると、中蓋２の一端では図３に示すようにその縁部２ａが中蓋回動規制部材３に当たり、また他端では図２に示すように支持体２５が中蓋回動規制部材３に当たって、図６に示すように中蓋２が閉じるのを規制される。このため、分電盤を床面に置いて電気機器６の点検や配線をする作業が安全に行なえる。なお分電盤を壁面に取付けた状態では軸２１側が下位に位置するので、中蓋２は自重により図２の矢印と反対向きに移動し、中蓋２の開閉が自由に行なえる。
【００１４】
外蓋４は、中蓋２の外側で箱体１に開閉自在に取着されている。実施の形態では例えば図９に示すように枠体９の前面の一側の上下に取付部４０、４１を設けている。下側取付部４０は例えば図７に示すように支持軸４２を突設し、上側取付部４１は軸支孔４３を形成している。外蓋４の下端部の内面に支持軸４２に嵌合する軸孔を設けた軸受け片４４を取付け、上端部の内面に軸支孔４３に嵌合する軸棒４５を下向きに突設している。したがって、外蓋４を箱体１に近づけて軸棒４５を軸支孔４３に嵌合するとともに軸孔を支持軸４２に嵌合すると外蓋４が開閉自在に取付けられる。
【００１５】
【発明の効果】
請求項１記載の分電盤によれば、箱体の中蓋を開いて回転中心軸方向の一方に移動させたとき、中蓋が中蓋回動規制部材に当接して閉まるのが防止される。このため、分電盤の出荷前など箱体を床において配線や点検の作業をする際に中蓋が不用意に閉じるのを防止でき、安全性と作業性を向上することができる。
【００１６】
請求項２記載の分電盤によれば、請求項１と同様な効果のほか、中蓋回動規制部材および枢支点部の箱体への取付作業が容易になる。
請求項３記載の分電盤によれば、請求項２と同様な効果のほか、左開き、右開きおよび観音開きのいずれかを選択することができる。
請求項４記載の分電盤によれば、請求項２または請求項３記載と同様な効果のほか、中蓋を閉じたときのラッチを兼ねることができ、別途引掛部を設ける必要がない。
【図面の簡単な説明】
【図１】この発明の一実施の形態の中蓋の開閉可能な状態の部分断面図である。
【図２】中蓋の閉じ方向が規制されるように中蓋を回転中心軸方向に移動した状態の部分断面図である。
【図３】その部分拡大図である。
【図４】中蓋の取付け過程を示す部分断面図である。
【図５】中蓋を閉じた状態の横断面図である。
【図６】中蓋を開いた状態の部分拡大図である。
【図７】枠体の分解斜視図である。
【図８】枠体をベースから外した状態の分解斜視図である。
【図９】分電盤の外蓋を開いた状態の斜視図である。
【符号の説明】
１ 箱体
２ 中蓋
３ 中蓋回動規制部材
４ 外蓋
５ 開口
６ 電気機器
１５ａ、１５ｂ 操作部
１９ 穴
２１ 軸
２２ 軸受け孔
２３ 軸孔
２４ 軸棒
２８ 引掛孔
３１ 引掛部
【図１】
0003567746.tif 000002
【図２】
0003567746.tif 000003
【図３】
0003567746.tif 000004
【図４】
0003567746.tif 000005
【図５】
0003567746.tif 000006
【図６】
0003567746.tif 000007
【図７】
0003567746.tif 000008
【図８】
0003567746.tif 000009
【図９】
0003567746.tif 000010